(57)【特許請求の範囲】
【請求項１】
上下方向と横方向とを有し、前胴回り域と後胴回り域と股下域とが形成され、前記前胴回り域の両側縁部それぞれの内面と前記後胴回り域の両側縁部それぞれの内面とが接合して前記横方向の両側それぞれに前記上下方向へ延びる側部接合域が形成されるとともに、胴回り開口と一対の脚回り開口とが形成されていて、前後胴回り域のそれぞれには前記側部接合域どうしの間に複数条の弾性部材が伸長状態で取り付けられている大人用の使い捨てのパンツ型のおむつであって、
前記後胴回り域は、前記胴回り開口の縁から前記上下方向の下方に向かう幅が少なくとも４０ｍｍの範囲にある前記弾性部材の複数条によって形成される上方弾性域と、前記上方弾性域に隣接し前記下方に向かう幅が少なくとも４０ｍｍの範囲にある前記弾性部材の複数条によって形成される下方弾性域とを有し、
前記上方弾性域における前記弾性部材の伸長倍率と前記幅１５ｍｍ当たりについての１．７倍伸長時の伸長力とが、前記下方弾性域における前記弾性部材の伸長倍率と前記幅１５ｍｍ当たりについての１．７倍伸長時の伸長力よりも小さく、
両脚の大腿部と、臀部と、前記臀部における臀溝と臀溝点と臀部後突点とが形成されている大人の人体ダミーであって、前記人体ダミーには、前記臀溝のうちの前記臀部後突点の直下に位置する部分である前記臀溝点にエアパックの着用圧センサを取り付けてあり、前記両脚の前記大腿部それぞれが一対の脚回り開口それぞれに挿通してあるおむつの胴回りの両側部それぞれの頂部を片手ずつで把持して、前記臀溝点から前記臀部後突点までの間を所定の時間で通過するようにおむつを一定の速度で引き上げながら前記人体ダミーに着用させる過程での着用圧を測定すると、前記臀溝点において測定される前記着用圧の最大値が０．５−１．５Ｎの間にあることを特徴とするおむつ。
【請求項２】
前記おむつが体液吸収性の芯材と前記芯材を被覆する透液性の内面シートとを含む吸収体を有し、前記芯材が前記股下域から前記後胴回り域に向かって延びた先端に後端を有し、前記後端が前記胴回り開口の縁から少なくとも７０ｍｍ離間している請求項１記載のおむつ。
【請求項３】
前記人体ダミーが４０代または７０代日本人女性の平均的人体形状を有するものである請求項１または２記載のおむつ。
【請求項４】
両脚の大腿部と臀部とを有し、前記臀部には臀溝と臀部後突点とが形成されている大人の人体ダミーに請求項１に記載のおむつを着用させて、前記おむつの着用容易性を判断する方法であって、
前記人体ダミーと前記おむつとが上下方向と横方向とを有し、
前記人体ダミーには、前記臀溝のうちの前記臀部後突点の直下に位置する部分である臀溝点と前記臀部後突点とのうちの少なくとも前記臀溝点にエアパックの着用圧センサを取り付けて、前記センサの検出する着用圧を圧力測定器によって表示させ、
前記両脚の前記大腿部それぞれが一対の脚回り開口それぞれに挿通してある前記おむつにおいての胴回りの両側部それぞれの頂部を片手ずつで把持して、前記臀溝点から前記臀部後突点までの間を所定の時間で通過するように前記おむつを一定の速度で引き上げながら前記着用圧を測定し、前記おむつを引き上げる過程で生じた前記臀溝点における前記着用圧の最大値を求め、
前記人体ダミーに着用させた複数の前記おむつの間で前記最大値を比較して、前記最大値が小さいほど着用容易なものであると判断することを特徴とする方法。
【請求項５】
前記おむつは、前胴回り域と後胴回り域とを有し、前記前胴回り域の両側縁部それぞれの内面と、前記後胴回り域の両側縁部それぞれの内面とが接合して、一対の側部接合域と、胴回り開口と、一対の脚回り開口とが形成されている大人用の使い捨てのパンツ型のおむつであり、
前記人体ダミーには、４０代日本人女性の平均的人体形状を示すものおよび７０代日本人女性の平均的人体形状を示すもののいずれかを使用し、
前記人体ダミーの腹側と背側、および前記おむつの前記前胴回り域と前記後胴回り域のそれぞれに、前記人体ダミーおよび前記おむつそれぞれにおける前記横方向の寸法を二等分して前記上下方向へ延びる中心線を記入し、前記大腿部が前記脚回り開口に挿通してある前記おむつの前記中心線を前記人体ダミーの前記中心線に一致させて前記人体ダミーの後方から前記側部接合域それぞれの頂部を片手ずつで把持し、
把持するときの前記片手のそれぞれは、前記側部接合域をまたいで、親指を前記側部接合域の後方に位置させる一方、人差指を前記側部接合域の前方に位置させ、
把持した前記おむつは、前記臀溝点から少なくとも１００ｍｍ離間している前記臀溝点の下方部位から引き上げ始めて、前記人体ダミーの前記臀溝点から前記臀部後突点までの間を前記胴回り開口の縁が所定の時間で通過するように一定の速度で引き上げ、
前記おむつを引き上げる過程で生じた前記臀溝点における前記着用圧を前記圧力測定器で所定時間ごとに表示させる請求項４記載の方法。
【請求項６】
前記一定の速度が６０ｍｍ／秒である請求項４または５記載の方法。
【請求項７】
前記圧力測定器には、前記着用圧を０．１秒ごとに表示させる請求項４〜６のいずれかに記載の方法。
【発明の詳細な説明】
【技術分野】
【０００１】
本発明は、大人用のものとして使用するのに好適な使い捨てのパンツ型おむつと、そのおむつが着用容易なものであるか否かを判断するための方法とに関する。
【背景技術】
【０００２】
従来、大人用の使い捨ておむつであって、着用することが容易となるように改良を施されたものは公知である。
【０００３】
例えば、特開２０１２−１９２１６５号公報（特許文献１）に記載の使い捨て着用物品は、腕力の弱い高齢者であってもウエスト開口を所要の大きさに広げることが容易となるように改良されている。
【０００４】
また、特開２００３−６４５７５号公報（特許文献２）には、衣類等の着脱性測定方法が記載されている。この方法では、衣類を着脱する際に発生する骨格筋の筋電図を計測し、筋電発生時間が長いと着脱しにくい衣類であると判断する。
【先行技術文献】
【特許文献】
【０００５】
【特許文献１】特開２０１２−１９２１６５号公報
【特許文献２】特開２００３−６４５７５号公報
【発明の概要】
【発明が解決しようとする課題】
【０００６】
大人用の使い捨てのパンツ型おむつでは、それを着用しようとして胴回り開口を両手で大きく広げると、おむつの幅方向中央部において、胴回り開口の周縁部分よりも下方にある部分がせり上がって、周縁部分に重なり、胴回り部はその一部分が折り重ねられた状態になることがある。このような状態が後胴回り域で発生すると、おむつを引き上げるときに、折り重ねられた状態にある部分がおむつ着用者の臀溝に引っ掛かり、おむつの動きが一時的に遅くなるか、または停止して、おむつをスムーズに引き上げることができないということがある。
【０００７】
このような状態になることのあるおむつは、着用が容易なものといえないが、おむつがそのようなものであるか否かを骨格筋の筋電図の計測によって知ることは困難である。
【０００８】
本発明は、着用することが容易となるように改良された使い捨てのパンツ型おむつの提供と、着用することが容易であるか否かを判断するための方法の提供とを課題にしている。
【０００９】
なお、本発明においてパンツ型おむつというときには、おむつが胴回り開口と脚回り開口とを有し、胴回り開口の周縁部を把持して着用するものであることを意味している。そのようなおむつには、着用者の大腿部に対する被覆部を持つ場合のものと、持たない場合のものとがある。
【課題を解決するための手段】
【００１０】
前記課題を解決するための本発明は、大人用の使い捨てのパンツ型おむつに係る第１発明と、そのおむつが着用容易なものであるか否かを判断するための方法に係る第２発明とによって構成されている。
【００１１】
本発明の第１発明が対象とするのは、上下方向と横方向とを有し、前胴回り域と後胴回り域と股下域とが形成され、前記前胴回り域の両側縁部それぞれの内面と前記後胴回り域の両側縁部それぞれの内面とが接合して前記横方向の両側それぞれに前記上下方向へ延びる側部接合域が形成されるとともに、胴回り開口と一対の脚回り開口とが形成されていて、前後胴回り域のそれぞれには前記側部接合域どうしの間に複数条の弾性部材が伸長状態で取り付けられている大人用の使い捨てのパンツ型のおむつである。
【００１２】
第１発明が特徴とするところは、以下のとおりである。前記おむつにおいて、前記後胴回り域は、前記胴回り開口の縁から前記上下方向の下方に向かう幅が少なくとも４０ｍｍの範囲にある前記弾性部材の複数条によって形成される上方弾性域と、前記上方弾性域に隣接し前記下方に向かう幅が少なくとも４０ｍｍの範囲にある前記弾性部材の複数条によって形成される下方弾性域とを有し、
前記上方弾性域における前記弾性部材の伸長倍率と前記幅１５ｍｍ当たりについての１．７倍伸長時の伸長力とが、前記下方弾性域における前記弾性部材の伸長倍率と前記幅１５ｍｍ当たりについての１．７倍伸長時の伸長力よりも小さく、
両脚の大腿部と、臀部と、前記臀部における臀溝と臀溝点と臀部後突点とが形成されている大人の人体ダミーであって、前記人体ダミーには、前記臀溝のうちの前記臀部後突点の直下に位置する部分である前記臀溝点にエアパックの着用圧センサを取り付けてあり、前記両脚の前記大腿部それぞれが一対の脚回り開口それぞれに挿通してあるおむつの胴回りの両側部それぞれの頂部を片手ずつで把持して、前記臀溝点から前記臀部後突点までの間を所定の時間で通過するようにおむつを一定の速度で引き上げながら前記人体ダミーに着用させる過程での着用圧を測定すると、前記臀溝点において測定される前記着用圧の最大値が０．５−１．５Ｎの間にある。
【００１３】
本発明の第２発明が対象とするのは、両脚の大腿部と臀部とを有し、前記臀部には臀溝と臀部後突点とが形成されている大人の人体ダミーに請求項１に記載のおむつを着用させて、前記おむつの着用容易性を判断する方法である。
【００１４】
第２発明が特徴とするところは、以下のとおりである。前記人体ダミーと前記おむつとが上下方向と横方向とを有し、前記人体ダミーには、前記臀溝のうちの前記臀部後突点の直下に位置する部分である臀溝点と前記臀部後突点とのうちの少なくとも前記臀溝点にエアパックの着用圧センサを取り付けて、前記センサの検出する着用圧を圧力測定器によって表示させ、前記両脚の前記大腿部それぞれが一対の脚回り開口それぞれに挿通してある前記おむつにおいての胴回りの両側部それぞれの頂部を片手ずつで把持して、前記臀溝点から前記臀部後突点までの間を所定の時間で通過するように前記おむつを一定の速度で引き上げながら前記着用圧を測定し、前記おむつを引き上げる過程で生じた前記臀溝点における前記着用圧の最大値を求め、前記人体ダミーに着用させた複数の前記おむつの間で前記最大値を比較して、前記最大値が小さいほど着用容易なものであると判断する。
【発明の効果】
【００１５】
本発明のうちの第１発明によれば、おむつの後胴回り域に形成されている幅の広い上方弾性域は横方向への伸長が容易であって、人体および人体ダミーに着用させるときの着用圧が低く、おむつはスムーズに着用させることができるものになる。
【００１６】
本発明のうちの第２発明によれば、人体ダミーに取り付けた着用圧センサの検出する着用圧に基づいておむつが着用容易なものであるか否かを簡単に判断することができる。
【図面の簡単な説明】
【００１７】
図面は、本開示に係る本発明の特定の実施の形態を示し、発明の不可欠な構成ばかりでなく、選択的及び好ましい実施の形態を含む。
【図１】使い捨てのパンツ型おむつの斜視図。
【図２】図１のおむつの側部接合域を解いて伸展した状態にあるおむつ。
【図３】図２のおむつの分解立体図。
【図４】図２における前胴回り域の拡大図。
【図５】図２における後胴回り域の拡大図。
【図６】人体ダミーの斜視図。
【図７】おむつを着用させる前の人体ダミーの背面図。
【図８】おむつを着用させる前の人体ダミーの背面図。
【図９】おむつを着用させる過程にある人体ダミーの背面図
【図１０】おむつの把持方法を示す図。
【図１１】おむつの把持方法を示す図。
【図１２】従来のおむつを着用させる過程にある人体ダミーの背面図。
【図１３】着用圧の測定結果を示す図。
【発明を実施するための形態】
【００１８】
添付の図面を参照して、本発明に係る使い捨てのパンツ型おむつの詳細を説明すると、以下のとおりである。
【００１９】
図１は、使い捨てのパンツ型おむつの一例である大人用のおむつ１０の斜視図である。おむつ１０は、前胴回り域１１と、後胴回り域１２と、股下域１３とを有する。前胴回り域１１と後胴回り域１２とのそれぞれは、一対の側縁部１６と一対の側縁部１７とを有し、側縁部１６，１７どうしは内面を対向させた状態で溶着されて一対の側部接合域１８を形成している。おむつ１０では、前胴回り域１１と後胴回り域１２とによって胴回り開口２１が画成され、前胴回り域１１と後胴回り域１２と股下域１３とによって一対の脚回り開口２２が画成されている。前胴回り域１１と後胴回り域１２とには後記弾性部材３８，３９の収縮によって多数のギャザー２３，２４が形成されている。図には、おむつ１０の上下方向と横方向とが双頭矢印Ｙ，Ｘで示されている。
【００２０】
図２は、図１のおむつ１０における一対の側部接合域１８それぞれにおいて、前胴回り域１１と後胴回り域１２との接合を解いて、おむつ１０を平面状に伸展したときに得られる伸展おむつ１０ａの部分破断平面図である。図２における双頭矢印Ｙは、図１における上下方向Ｙに相当する方向を示していて、図２においても上下方向と呼ばれる。伸展おむつ１０ａは、砂時計型に形成されていて図１のおむつ１０の外形を形成しているアウター部材３１と、アウター部材３１の内面にホットメルト接着剤等の接着剤を介して取り付けられていて、股下域１３から前後胴回り域１１，１２のそれぞれに向かって延びている矩形のインナー部材３２とを有する。前胴回り域１１は、横方向Ｘの両側に側縁部１６を有し、側縁部１６どうしの間には胴回り開口２１の周縁２０（図１参照）の一部分を形成する前端縁２０ａを有する。後胴回り域１２は、横方向Ｘの両側に側縁部１７を有し、側縁部１７どうしの間には胴回り開口２１の周縁２０の一部分を形成する後端縁２０ｂを有する。なお、本発明において接着剤というときには、接着剤の種類を特定していない。ただし、ホットメルト接着剤は、その接着剤のうちで特に好ましいものの一例である。
【００２１】
図３は、図２の伸展おむつ１０ａについての分解立体図である。
【００２２】
図２，３から明らかなように、アウター部材３１は、内面３３と外面３４とを有していて砂時計型に形成されている基盤シート３５と、基盤シート３５の外面３４にホットメルト接着剤等の接着剤（図示せず）を介して接合して、基盤シート３５とともに前胴回り域１１を形成している前方外装シート３６と、外面３４に接着剤（図示せず）を介して接合して、基盤シート３５とともに後胴回り域１２を形成している後方外装シート３７とを有する。基盤シート３５と前方外装シート３６との間には両側縁部１６の間において直状に延びる複数条の前胴回り弾性部材３８が介在し、シート３５，３６の少なくとも一方に接着剤（図示せず）を介して伸長状態で接合している。また、基盤シート３５と後方外装シート３７との間には、両側縁部１７の間において伸長状態で直状に延びる複数条の後胴回り弾性部材３９と、前方外装シート３６に向かって凸となる曲線を画いて延びていて少なくとも部分的に伸長状態にある複数条の脚回り補助弾性部材４０とが介在し、シート３５，３７の少なくとも一方に接着剤（図示せず）を介して接合している。前方外装シート３６と後方外装シート３７とには、基盤シート３５における股下域１３に接着剤（図示せず）を介して接合する前方股下部４１と後方股下部４２とが形成されている。前方外装シート３６と後方外装シート３７とにはまた、これらシート３６，３７を基盤シート３５に接合した後に、基盤シート３５の内面３３に向かって折り返されて接着剤（図示せず）を介して接合される前方折り返ししろ４３と後方折り返ししろ４４とが形成されている。
【００２３】
インナー部材３２は、図３において明らかなように、体液吸液性の芯材４６を透液性の内面シート４７と不透液性の外面シート４８とで被覆することによって形成されている吸収体である。芯材４６は、粉砕パルプ等の吸水性材料の集合体であり、股下域１３から前胴回り域１１と後胴回り域１２とに向かって延びている。内面シート４７は透液性の不織布または透液性のプラスチックフィルムで形成され、外面シート４８は不透液性のプラスチックフィルムまたは不透液性のプラスチックフィルムと不織布との積層体で形成されていて、内面シート４７と外面シート４８とは、芯材４６の前端４６ａと後端４６ｂとのそれぞれから延出する部分において重なり合い、接着剤（図示せず）を介して接合することにより、インナー部材３２の前端部５１と後端部５２とを形成している。内面シート４７と外面シート４８とはまた、芯材４６の両側それぞれから延出する部分において重なり合い、接着剤（図示せず）を介して接合することにより、当該技術分野において慣用の一対の防漏壁５３を形成している。防漏壁５３は、おむつ１０の着用時にそれをおむつ着用者（図示せず）の肌に向かって起立させることができるように、伸長状態にある弾性部材５４を含んでいる。このように形成されているインナー部材３２は、前端部５１と後端部５２とが基盤シート３５の内面３３における前方部位６１と後方部位６２とに対して接着剤を介して接合され、前端部５１と後端部５２との間の中間部が基盤シート３５の股下域１３に位置する中間部位６３に対して接着剤を介して接合される。アウター部材３１とインナー部材３２とが接合された後に、前方外装シート３６の折り返ししろ４３と、後方外装シート３７の折り返ししろ４４とが基盤シート３５の内面３３に向かって折り返され、接着剤（図示せず）を介して、その内面３３及びインナー部材３２の前端部５１と後端部５２に対して接合される（図２参照）。インナー部材３２の弾性部材５４は、アウター部材３１における補助弾性部材４０と協働して、おむつ１０における脚回り弾性部材として作用する。
【００２４】
図２において、おむつ１０ａの後端縁２０ｂと芯材４６の後端４６ｂとは、少なくとも７０ｍｍ離間している。大人用のおむつ１０において、特におむつ１０が吸尿パッドの使用を予定しているものである場合において、芯材４６を長さの長いものにして後端４６ｂを後端縁２０ｂにさらに近づけることは、通常好ましいことではない。後端４６ｂと後端縁２０ｂとの離間距離が７０ｍｍ未満となるような長い芯材４６は、吸水容量が過剰になって体液吸収性材料の無駄使いになることがあるばかりでなく、後胴回り域１２が嵩張るもになっておむつ１０の着用感が悪くなるということの原因にもなる。
【００２５】
しかしながら、乳幼児用の使い捨てのおむつでは、芯材の後端とおむつの後端縁とが離間する寸法は高々５０ｍｍ程度であって、その寸法のうちの２０−３０ｍｍはウエスト域の弾性部材が占めているということが多い。全体的な形状が小さい乳幼児用のおむつでは、芯材の吸収容量を大きくしようとするときに、芯材の後端をおむつの後端縁の近くにまで延ばすことが多い。
【００２６】
図２の伸展おむつ１０ａにおいて、前端縁２０ａと後端縁２０ｂとにおける側部接合域１８どうしの間の内側寸法はＷ０であり、前端縁２０ａと後端縁２０ｂとの間の寸法はＬ０である。前胴回り域１１と後胴回り域１２それぞれの上下方向Ｙの寸法はＬ１とＬ２である。図１の大人用のおむつ１０が標準的な大きさであるＭサイズまたはＬサイズを兼ねたＭサイズのものである場合、寸法Ｗ０は４００−８００ｍｍであって、前後胴回り弾性部材３８，３９が収縮したときに、好ましくは３００ｍｍ以下になる。寸法Ｌ０は６５０−８５０ｍｍであって、寸法Ｌ１，Ｌ２は１５０−２００ｍｍであることが好ましい。ちなみに、このようなおつ１０は、胴回り寸法が６００−９５０ｍｍである着用者に適している。
【００２７】
図４は、図２における前胴回り域１１の拡大図であって、双頭矢印Ｙは図１における上下方向を示している。前胴回り域１１では、前端縁２０ａを含み上下方向Ｙに寸法Ｍ１を有する第１前胴回り弾性域６１ｆと上下方向Ｙの下方から第１前胴回り弾性域６１ｆに隣接していて寸法Ｍ２を有する第２前胴回り弾性域６２ｆとが形成されている。第１前胴周り弾性域６１ｆは前胴回り域１１においての上方弾性域であり、第２前胴回り弾性域６２ｆは下方弾性域である。第１前胴回り弾性域６１ｆは、寸法Ｍ１が４０−８０ｍｍの範囲にあって、前胴回り弾性部材３８のうちで、中心間隔が３−１５ｍｍとなるように配置されたものである複数条の第１前胴回り弾性部材３８ａを含んでいる。第１前胴回り弾性部材３８ａはまた、繊度が４００−８００ｄｔｅｘの範囲にあり、伸長倍率が１．８−２．５倍の範囲にある。第２前胴回り弾性域６２ｆは、寸法Ｍ２が４０−９０ｍｍの範囲にあって、前胴回り弾性部材３８のうちで中心間隔が５−１５ｍｍとなるように配置されたものである複数条の第２前胴回り弾性部材３８ｂを含んでいる。第２前胴回り弾性部材３８ｂはまた、繊度が５００−１０００ｄｔｅｘの範囲にあり、伸長倍率が２．０−３．０倍の範囲にある。ただし、第２前胴回り弾性部材３８ｂは、伸長倍率が第１前胴回り弾性部材３８ａの伸長倍率よりも大きいものであって、その伸長倍率が大きいということによって、第２前胴回り弾性域６２ｆは、第１前胴回り弾性域６１ｆと区別される。第２前胴回り弾性部材３８ｂの繊度は、第１前胴回り弾性部材３８ａの繊度と同じであるかそれよりも大きい。
【００２８】
図５は、図２における後胴回り域１２の拡大図であって、双頭矢印Ｙは図１における上下方向を示している。後胴回り域１２では、後端縁２０ｂを含み上下方向Ｙに寸法Ｎ１を有する第１後胴回り弾性域６１ｒと、上下方向Ｙの下方から第１後胴回り弾性域６１ｒに隣接していて寸法Ｎ２を有する第２後胴回り弾性域６２ｒとが形成されている。第１後胴回り弾性域６１ｒは後胴回り域１２においての上方弾性域であり、第２後胴回り弾性域６２ｒは後胴回り域１２においての下方弾性域である。第１後胴回り弾性域６１ｒは、寸法Ｎ１が４０−７０ｍｍの範囲にあって、後胴回り弾性部材３９のうちで中心間隔が３−１０ｍｍとなるように配置されたものである複数条の第１後胴回り弾性部材３９ａを含んでいる。第１後胴回り弾性部材３９ａはまた、繊度が４００−８００ｄｔｅｘの範囲にあり、伸長倍率が１．８−２．５倍の範囲にある。第２後胴回り弾性域６２ｒは、寸法Ｎ２が４０−８０ｍｍの範囲にあって、後胴回り弾性部材３９のうちで中心間隔が５−１５ｍｍとなるように配置されたものである複数条の第２後胴回り弾性部材３９ｂを含んでいる。第２後胴回り弾性部材３９ｂはまた、繊度が５００−１０００ｄｔｅｘの範囲にあり、伸長倍率が２．０−３．０倍の範囲にある。第２後胴回り弾性部材３９ｂは、伸長倍率が第１後胴回り弾性部材３９ａの伸長倍率よりも大きく、その伸長倍率が大きいことによって、第２後胴回り弾性域６２ｒは第１後胴回り弾性域６１ｒと区別される。第２後胴回り弾性部材３９ｂの繊度は、第１後胴回り弾性部材３９ａの繊度と同じであるかそれよりも大きい。
【００２９】
このように形成されている前胴回り域１１と後胴回り域１２とのうちの少なくとも後胴回り域１２は、第１後胴回り弾性域６１ｒの横方向Ｘへの伸長力が第２後胴回り弾性域６２ｒの横方向Ｘにおける伸長力よりも低くなるように第１後胴回り弾性部材３９ａと第２後胴回り弾性部材３９ｂとが使われる。そのように使われる第１後胴回り弾性部材３９ａと第２後胴回り弾性部材３９ｂとの間では、繊度、伸長倍率、弾性部材どうしの中心間距離、弾性材料のいずれかに違いをつけることができる。
【００３０】
第１前胴周り弾性域６１ｆ、第２前胴周り弾性域６２ｆ、第１後胴周り弾性域６１ｒおよび第２後胴回り弾性域６２ｒの伸長力は、次のようにして測定する。（１）おむつ１０を自然状態に置いて、おむつ１０の弾性部材を収縮させる。（２）伸長力を測定しようとする弾性域において、図２の上下方向Ｙの寸法である幅が１５ｍｍ、横方向Ｘの寸法である長さが約６０ｍｍの試験片（図示せず）を、側部接合域１８とインナー部材３２との間から切り取る。ただし、試験片はその一部分がインナー部材３２と交差していてもよい。（３）試験片の長さ方向の中央部に、長さ方向の離間寸法が約３０ｍｍとなるように２本の標線を書き入れ、標線間の寸法Ｅ０を正確に測定する。（４）試験片を引張り試験機に取り付ける。引張り試験機では、試験片の両端部それぞれを１０ｍｍずつチャックで把持する。引張り試験機には、例えばインストロン  モデルＮＯ．５５６４を使用することができる。（５）試験片は、１００ｍｍ／ｍｉｎの速度で引張り、寸法Ｅ０が１．７倍に達したときの伸長力を求め、その値を弾性域の伸長力とする。（６）弾性域から幅が１５ｍｍの試験片を切り取るときには、試験片の幅方向において弾性部材ができるだけ多く含まれるように、弾性域における試験片の採取位置を選択する。
【００３１】
おむつ１０以外のおむつ、例えば従来例のおむつの弾性域についても同様にして伸長力を測定する。
【００３２】
また、第１前胴周り弾性域６１ｆ、第２前胴周り弾性域６２ｆ、第１後胴周り弾性域６１ｒおよび第２後胴回り弾性域６２ｒにおける第１前胴周り弾性部材３８ａ、第２前胴周り弾性部材３８ｂ、第１後胴回り弾性部材３９ａおよび第２後胴回り弾性部材３９ｂそれぞれの伸長倍率は、次のようにして測定する。（１）伸長力の測定のための試験片と同じ試験片を作り、試験片をギャザー２３または２４（図１参照）の消失するところまで横方向Ｘへ伸長する。伸長した試験片の弾性部材には離間寸法が３０−５０ｍｍとなるように２本の標線を書き入れて、標線間の寸法Ｆ０を正確に測定する。（３）試験片をトルエン溶液に浸漬して接着剤を溶解させ、弾性部材を試験片から分離させる。（４）分離させた弾性部材を収縮させて、標線間の寸法Ｆ１を正確に測定する。（５）寸法Ｆ１に対する寸法Ｆ０の比（Ｆ０／Ｆ１）を求めて、その比を弾性部材の伸長倍率とする。
【００３３】
図５を参照して後胴回り域１２を得るための具体例を示すと、次のとおりである。基盤シート３５と後方外装シート３７とには、単位面積当たりの質量が２５ｇ／ｍ２であるＳＭＳ不織布を使用する。寸法Ｗ０と寸法Ｌ２とは、５６０ｍｍと１７０ｍｍとに設定する。寸法Ｎ１を有する第１後胴回り弾性域６１ｒのうちの上方部分には、６２０ｄｔｅｘのライクラ（登録商標）を２．３倍に伸長したものである５本の第１後胴回り弾性部材３９ａを取り付ける。第１後胴回り弾性域６１ｒの下方部分には、７８０ｄｔｅｘのライクラを２．１倍に伸長したものである４本の第１後胴回り弾性部材３９ａを取り付ける。第１後胴回り弾性域６１ｒでは、これら９本のライクラを中心間隔が同じになるようにして取り付ける。第１後胴回り弾性域６１ｒに下方から隣接していて寸法Ｎ２が６０ｍｍの第２後胴回り弾性域６２ｒでは、７８０ｄｔｅｘのライクラを２．５倍に伸長したものである第２後胴回り弾性部材３９ｂを６本使用する。６本の第２後胴回り弾性部材３９ｂは、最上部のもの２本の中心間隔を６ｍｍにする以外は、すべての中心間隔が同じ寸法となるように取り付ける。なお、図において、第１後胴回り弾性域６１ｒと第２後胴回り弾性域６２ｒとの境界線は、上下方向Ｙにおいて隣り合う第１後胴回り弾性部材３９ａと第２後胴回り弾性部材３９ｂとの中央にあって、これらの弾性部材３９ａと弾性部材３９ｂとは中心間隔が８ｍｍとなるように離間している。
【００３４】
後胴回り域１２をこのように形成するときに、図４における前胴回り域１１の一例は、次のように形成することができる。前方外装シート３６には、単位面積当たりの質量が２５ｇ／ｍ２を有するＳＭＳ不織布を使用する。寸法Ｌ１は１７０ｍｍに設定する。寸法Ｍ１が６５ｍｍである第１前胴回り弾性域６１ｆの上方部分には６２０ｄｔｅｘのライクラを２．３倍に伸長したものである５本の第１前胴回り弾性部材３８ａを第１後胴回り弾性部材３９ａと同様に弾性部材３８ａどうしの中心間隔が同じになるように取り付ける。第１前胴回り弾性域６１ｆの下方部分には、７８０ｄｔｅｘのライクラを２．１倍に伸長したものである４本の第１前胴回り弾性部材３８ａを弾性部材３８ａどうしの中心間隔が同じになるように取り付ける。ただし、上下方向Ｙにおいて隣り合う６２０ｄｔｅｘのライクラと７８０ｄｔｅｘのライクラとは、中心間隔が１４ｍｍとなるように離間させる。寸法Ｍ２が７５ｍｍである第２前胴回り弾性域６２ｆには、７８０ｄｔｅｘのライクラを２．５倍に伸長したものである８本の第２前胴回り弾性部材３８ｂを弾性部材３８ｂどうしの中心間隔が約８ｍｍとなるようにして取り付け、第２前胴回り弾性域６２ｆの最下部には、中心間隔が約６ｍｍとなるように２本の第２前胴回り弾性部材３８ｂを取り付ける。
【００３５】
このように形成してある大人用のおむつ１０は、おむつ着用者が自分で着用する場合であっても、介護者が着用させようとする場合であっても、おむつ１０の両側部の頂部を把持しておむつ１０を横方向Ｘへ大きく延ばした状態で両脚を脚回り開口２２に挿入し、続いて胴回り開口２１が臀部を通過するように引き上げるのが通例である。そのときに、おむつ１０の後胴回り域１２では、おむつ１０を把持するときの対象となる第１後胴回り弾性域６１ｒがその幅として上下方向Ｙに少なくとも４０ｍｍの寸法Ｎ１を有し、横方向Ｘへ伸長容易な帯状の弾性域を形成しているので、その幅の広い弾性域は、全体が一様に横方向Ｘへ伸長して、胴回り開口２１を大きくすることができる。また胴回り開口２１が後記臀部１１０における臀溝１０４と臀部後突点１０５とを通過するときには、後胴回り域１２の後端縁２０ｂとその下方に続く部分、すなわち第１後胴回り弾性域６１ｒが臀部の形状を倣うように横方向Ｘへ容易に伸長するので、おむつ１０を引き上げるときに後端縁２０ｂが臀部に圧接しておむつ１０のスムーズな引き上げの妨げになるということがない。
【００３６】
なお、おむつ１０は、それを着用した後にずり下がることがないように、第２前胴回り弾性域６２ｆと第２後胴回り弾性域６２ｒとが高い伸長力を有している。ちなみに、従来の大人用の使い捨てパンツ型おむつの多くでは、胴回り開口の周縁に沿ってウエスト弾性域が形成されている。ウエスト弾性域の上下方向の寸法である幅は２０−３０ｍｍ程度であって、そのウエスト弾性域の下方には、おむつの胴回りを着用者に弱くフィットさせるための補助的弾性域が形成されている。ウエスト弾性域における弾性部材の伸長倍率は、補助的弾性域における弾性部材の伸長倍率よりも高い。また、隣り合う弾性部材どうしの中心間隔は、補助的弾性域における弾性部材のそれよりも小さい。こうしたことの結果として、ウエスト弾性域の横方向における伸長力は、補助的弾性域のそれよりも高くなっている。このようなおむつでは、両手でウエスト弾性域の両側部分を把持し、胴回り開口を大きくするように横方向へ引っ張って着用しようとすると、ウエスト弾性域の全体は伸長するものの、ウエスト弾性域に下方から隣接する補助的弾性域は、その伸長に追随することができず、例えば後胴回り域の横方向の中央部分において補助的弾性域がせり上がり、おむつの外側からウエスト弾性域に重なるようにその中央部分が折れ曲がるということがある。そのような状態にあるウエスト弾性域は、おむつを引き上げるときに臀部に下方から当接して補助的弾性域はウエスト弾性域に密着した状態となり（後記図１２参照）、後胴回り域におけるおむつの上方への動きを一時的に停止させ、引き上げる力を強めなければ臀部を通過することができない。ただし、吸収体における芯材がウエスト弾性域に接近した状態にある乳幼児用のおむつでは、補助的弾性域が折れ曲がり、せり上がることを芯材が妨げるので、そのせり上がりが発生することは稀である。
【００３７】
図６−１０は、おむつ１０および従来のおむつの一例である後記比較例のおむつ１５０が着用容易なものであるか否かを観察し、判断するための方法における一連の手順を示す図（写真）である。
【００３８】
図６は、ＭサイズおよびＭ、Ｌ兼用サイズの大人用のパンツ型のおむつを着用させるために用意された人体ダミー１００の斜視図である。人体ダミー１００は、７０代日本人女性の平均的人体形状を示すもの（（株）七彩製人体ダミー  ＷＤ−７０Ａ）であるが、この人体ダミー１００に代えて４０代日本人女性の平均的人体形状を示すもの（（株）七彩製人体ダミー  ＷＤ−４０Ａ）を使用することもできる。また、これら人体ダミーと同等のものを使用することもできる。人体ダミー１００には、垂直方向と水平方向とに所要の標線１０１ａ，１０１ｂが記入されている。人体ダミー１００にはまた、腹部最突１０２がある。
【００３９】
図７，８は、人体ダミー１００の背面を示す図である。人体ダミー１００は両脚の大腿部１０３と、臀部１１０と、臀溝１０４と、臀部後突点１０５と、臀部後突点１０５の直下における臀溝１０４上の点である臀溝点１０６とを有する。臀部後突点１０５と臀溝点１０６とには、着用圧センサ１０７ａ（図８参照），１０７ｂ（図７参照）が取り付けられている。着用圧センサ１０７ａ，１０７ｂには（株）エイエムアイ・テクノ製の標準型エアパックセンサ（直径２０ｍｍ）が使用されている。着用圧センサ１０７ａ，１０７ｂは圧力測定器（図示せず）に接続されていて、圧力測定器では、着用圧センサ１０７ａ，１０７ｂによる検出圧を所定の時間間隔で、例えば０．１秒間隔で表示させ、記録させることができる。
【００４０】
図９は、おむつ１０を引き上げるときに、おむつ１０の胴回り開口２１の近傍、具体的には第１後胴回り弾性域６１ｒが臀部後突点１０５に取り付けられた着用圧センサ１０７ａを通過するときの状態を示している。おむつ１０では、第１後胴回り弾性域６１ｒと、第２後胴回り弾性域６２ｒとが、人体ダミー１００の臀部１１０のふくらみに倣って臀部の横方向へ延びている。なお、おむつ１０には横方向Ｘの寸法を二等分する中心線（図２参照）を記入しておいて、人体ダミー１００に記入した中心の標線に一致させて、人体ダミー１００とおむつ１０との位置関係が常に一定となるようにしながらおむつ１０を引き上げることが好ましい。
【００４１】
図１０，１１は、大腿部１０３が挿通してあるおむつ１０を引き上げるときに、おむつ１０の側部をどのように把持するかを示している。おむつ１０は、第１後胴回り弾性域６１ｒが臀溝点１０６から少なくとも１００ｍｍ離間している下方の位置にあるときに把持する。おむつ１０を引き上げる作業者は、人体ダミー１００の背側に立って、左手１１１でおむつ１０の左側部を把持し、右手（図示せず）でおむつ１０の右側部を把持する。左手と右手のそれぞれは、人差し指を側部接合域１８の前方に位置させて側部接合域１８に沿わせ（図１０参照）、親指を側部接合域１８の後方に位置させて側部接合域１８に沿わせ（図１１参照）、人差し指と親指とが側部接合域１８の頂部をまたぐようにする。人差し指はその先端がおむつ１０における前胴回り域１１の前端縁２０ａから３０−４０ｍｍ下方の部位に届くようにし、親指の先端は人差し指の先端を越えることがないようにする。すなわち、親指は第１後胴回り弾性域６１ｒを越えることがないようにする。
【００４２】
おむつ１０は、６０ｍｍ／秒の速度で引き上げて、臀部後突点１０５の上方１００ｍｍの点に達したところで引き上げを停止して、おむつ１０についての観察を終了する。
【００４３】
図１２は、おむつ１０と対比される従来の大人用の使い捨てのパンツ型おむつの一つである比較例のおむつ１５０を人体ダミー１００に着用させているときの状態を示す図である。比較例のおむつ１５０は、Ｍサイズのものであるが、胴回り開口に沿って形成された幅３０ｍｍのウエスト弾性域１５１を有し、後胴回り域にはウエスト弾性域１５１に下方から隣接する幅が７５ｍｍの補助弾性域１５２を有している。なお、ここでいう幅とは、比較例のおむつ１５０の上下方向における寸法である。ウエスト弾性域１５１には、弾性部材として７８０ｄｔｅｘを有する５本のライクラが２．５倍に伸長された状態で取り付けられていて、弾性部材どうしは中心間隔が５ｍｍとなるように離間している。補助弾性域１５２には、６２０ｄｔｅｘを有する１０本のライクラが２．１倍に伸長された状態で取り付けられていて、弾性部材どうしは中心間隔が１０ｍｍとなるように離間している。比較例のおむつ１５０において、幅１５ｍｍ当たりについてのウエスト弾性域１５１の伸長力は幅１５ｍｍ当たりについての補助弾性域１５２の伸長力よりも高い値を有している。人体ダミー１００の大腿部１０３が挿通してあるこの比較例のおむつ１５０は、ウエスト弾性域１５１の両側部分における頂部を把持して横方向へ引っ張ると、比較例のおむつ１５０の横方向の中央部分１５６において、補助弾性域１５２が図示の如くウエスト弾性域１５１に折れ重なるようにせり上がる。その状態にある比較例のおむつ１５０を引き上げると、ウエスト弾性域１５１とそれに重なる補助弾性域１５２とが臀溝１０４において臀部のふくらみに下方から圧接しながら密着し、おむつ１５０の両側部分が上方に向かって移動しても、中央部分１５６は臀溝１０４にとどまっている。その後、引き上げる力が中央部分１５６に強く作用するようになると、中央部分１５６は、臀溝１０４を越えることができて、さらに上方へ引き上げられる。したがって、おむつが図１２の状態になるものである場合には、そのおむつを一様な速度でスピーディーに引き上げるということができない。
【００４４】
図１３は、人体ダミー１００に実施例であるおむつ１０と比較例のおむつ１５０とを着用させて得られた臀溝点１０６における着用圧の記録である。図の横軸は、引き上げを開始してからの経過時間（秒）を示し、縦軸は着用圧（Ｎ）を示している。横軸の１目盛は、０．１秒である。図において、ピークの高さの違い（着用圧の違い）は、着用させたおむつの後胴回り域に、図１２に例示の如き折れ重なりが形成されたか否かの違いを示している。図１０に例示の如く把持されて、図９に例示の状態を経て引き上げられるおむつ１０は、第１後胴回り弾性域６１ｒと第２後胴回り弾性域６２ｒとが臀溝１０４や臀部後突点１０５に殆ど引っ掛かることなく上方に向かって移動するので、臀溝点１０６における着用圧センセ１０７ｂは高い値を示すことがない。一方、比較例のおむつ１５０は、ウエスト弾性域１５１と補助弾性域１５２とが臀溝１０４において図１２に例示の如き状態となって臀溝点１０６における着用圧センサ１０７ｂに圧接し、両側部分を強く引張らなければ臀溝１０４を通過することができない。それゆえ、ウエスト弾性域１５１が臀溝１０４を通過するまでの間に着用圧センサ１０７ｂは、図示の如く高い着用圧を示す。
【００４５】
着用圧がこのようにして測定され，記録されるときに、本発明に係るおむつ１０は、着用圧のピークが０．５−１．５Ｎの範囲にあることが好ましく、０．５−１．０Ｎの範囲にあることがより好ましい。そのようなおむつ１０は、おむつ１０を着用しようとする着用者にとっても、おむつ１０を着用させようとする介護者にとっても着用が容易なものと判断することができる。一方、比較例のおむつ１５０は、ウエスト弾性域１５１が臀溝点１０６に到達してから、臀溝点１０６を通過するまでの間に図１２の状態を経なければならないので、着用圧のピークが著しく高く、２．５Ｎ以上になる。そのような比較例のおむつ１５０は、おむつ１０に比べると着用が容易ではない、と判断することができる。
【００４６】
このように、人体ダミー１００を使用して着用圧を測定すれば、着用圧の最大値が低いほど、おむつは着用が容易であると判断することができる。
【００４７】
本発明に係るおむつは、図示例のものの他に、インナー部材３２を持たず、不透液性の基盤シートとその内面に接合させる透液性のシートとの間に芯材４６を介在させたパンツ型おむつとして実施したり、おむつとは別体に作られている排泄物処理用のパッド、例えば尿とりパッドを着脱することのできるパンツ型のおむつとして実施したりすることもできる。また、人体ダミー１００を使用して着用容易性を判断する本発明の方法は、使い捨てのパンツ型おむつ以外のパンツ型着用物品に対しても広く使用することができる。
【００４８】
これまでに説明した本発明のうちの第１発明は、少なくとも以下のようにまとめることができる。
【００４９】
上下方向と横方向とを有し、前胴回り域と後胴回り域と股下域とが形成され、前記前胴回り域の両側縁部それぞれの内面と前記後胴回り域の両側縁部それぞれの内面とが接合して前記横方向の両側それぞれに前記上下方向へ延びる側部接合域が形成されるとともに、胴回り開口と一対の脚回り開口とが形成されていて、前後胴回り域のそれぞれには前記側部接合域どうしの間に複数条の弾性部材が伸長状態で取り付けられている大人用の使い捨てのパンツ型のおむつであって、
前記後胴回り域は、前記胴回り開口の縁から前記上下方向の下方に向かう幅が少なくとも４０ｍｍの範囲にある前記弾性部材の複数条によって形成される上方弾性域と、前記上方弾性域に隣接し前記下方に向かう幅が少なくとも４０ｍｍの範囲にある前記弾性部材の複数条によって形成される下方弾性域とを有し、
前記上方弾性域における前記弾性部材の伸長倍率と前記幅１５ｍｍ当たりについての１．７倍伸長時の伸長力とが、前記下方弾性域における前記弾性部材の伸長倍率と前記幅１５ｍｍ当たりについての１．７倍伸長時の伸長力よりも小さく、
両脚の大腿部と、臀部と、前記臀部における臀溝と臀溝点と臀部後突点とが形成されている大人の人体ダミーであって、前記人体ダミーには、前記臀溝のうちの前記臀部後突点の直下に位置する部分である前記臀溝点にエアパックの着用圧センサを取り付けてあり、前記両脚の前記大腿部それぞれが一対の脚回り開口それぞれに挿通してあるおむつの胴回りの両側部それぞれの頂部を片手ずつで把持して、前記臀溝点から前記臀部後突点までの間を所定の時間で通過するようにおむつを一定の速度で引き上げながら前記人体ダミーに着用させる過程での着用圧を測定すると、前記臀溝点において測定される前記着用圧の最大値が０．５−１．５Ｎの間にあることを特徴とする。
【００５０】
第１発明には、少なくとも以下の実施態様がある。
（１）前記おむつが体液吸収性の芯材と前記芯材を被覆する透液性の内面シートとを含む吸収体を有し、前記芯材が前記股下域から前記後胴回り域に向かって延びた先端に後端を有し、前記後端が前記胴回り開口の縁から少なくとも７０ｍｍ離間している。
（２）前記人体ダミーが４０代または７０代日本人女性の平均的人体形状を有するものである。
【００５１】
これまでに説明した本発明のうちの第２発明は、少なくとも以下のようにまとめることができる。
【００５２】
両脚の大腿部と臀部とを有し、前記臀部には臀溝と臀部後突点とが形成されている大人の人体ダミーに請求項１に記載のおむつを着用させて、前記おむつの着用容易性を判断する方法であって、
前記人体ダミーと前記おむつとが上下方向と横方向とを有し、
前記人体ダミーには、前記臀溝のうちの前記臀部後突点の直下に位置する部分である臀溝点と前記臀部後突点とのうちの少なくとも前記臀溝点にエアパックの着用圧センサを取り付けて、前記センサの検出する着用圧を圧力測定器によって表示させ、
前記両脚の前記大腿部それぞれが一対の脚回り開口それぞれに挿通してある前記おむつにおいての胴回りの両側部それぞれの頂部を片手ずつで把持して、前記臀溝点から前記臀部後突点までの間を所定の時間で通過するように前記おむつを一定の速度で引き上げながら前記着用圧を測定し、前記おむつを引き上げる過程で生じた前記臀溝点における前記着用圧の最大値を求め、
前記人体ダミーに着用させた複数の前記おむつの間で前記最大値を比較して、前記最大値が小さいほど着用容易なものであると判断することを特徴とする。
【００５３】
第２発明には、少なくとも以下の実施態様がある。
（１）前記おむつは、前胴回り域と後胴回り域とを有し、前記前胴回り域の両側縁部それぞれの内面と、前記後胴回り域の両側縁部それぞれの内面とが接合して、一対の側部接合域と、胴回り開口と、一対の脚回り開口とが形成されている大人用の使い捨てのパンツ型のおむつであり、
前記人体ダミーには、４０代日本人女性の平均的人体形状を示すものおよび７０代日本人女性の平均的人体形状を示すもののいずれかを使用し、
前記人体ダミーの腹側と背側、および前記おむつの前記前胴回り域と前記後胴回り域のそれぞれに、前記人体ダミーおよび前記おむつそれぞれにおける前記横方向の寸法を二等分して前記上下方向へ延びる中心線を記入し、前記大腿部が前記脚回り開口に挿通してある前記おむつの前記中心線を前記人体ダミーの前記中心線に一致させて前記人体ダミーの後方から前記側部接合域それぞれの頂部を片手ずつで把持し、
把持するときの前記片手のそれぞれは、前記側部接合域をまたいで、親指を前記側部接合域の後方に位置させる一方、人差指を前記側部接合域の前方に位置させ、
把持した前記おむつは、前記臀溝点から少なくとも１００ｍｍ離間している前記臀溝点の下方部位から引き上げ始めて、前記人体ダミーの前記臀溝点から前記臀部後突点までの間を前記胴回り開口の縁が所定の時間で通過するように一定の速度で引き上げ、
前記おむつを引き上げる過程で生じた前記臀溝点における前記着用圧を前記圧力測定器で所定時間ごとに表示させる。
（２）前記一定の速度が６０ｍｍ／秒である。
（３）前記圧力測定器には、前記着用圧を０．１秒ごとに表示させる。
【符号の説明】
【００５４】
１０    使い捨てのパンツ型おむつ
１１    前胴回り域
１２    後胴回り域
１３    股下域
１６    側縁部
１７    側縁部
１８    側部接合域
２０ｂ    開口の縁
２１    胴回り開口
２２    脚回り開口
３２    吸収体
３８    弾性部材
３９    弾性部材
４４    後端
４６    芯材
４７    内面シート
６１ｒ    上方弾性域（第１後胴回り弾性域）
６２ｒ    下方弾性域（第２後胴回り弾性域）
１００    人体ダミー
１０３    大腿部
１０４    臀溝
１０５    臀部後突点
１０６    臀溝点
１０７ｂ    着用圧センサ
１１０    臀部
Ｘ    横方向
Ｙ    上下方向
【図１】
0006381349.tif 000002
【図２】
0006381349.tif 000003
【図３】
0006381349.tif 000004
【図４】
0006381349.tif 000005
【図５】
0006381349.tif 000006
【図６】
0006381349.tif 000007
【図７】
0006381349.tif 000008
【図８】
0006381349.tif 000009
【図９】
0006381349.tif 000010
【図１０】
0006381349.tif 000011
【図１１】
0006381349.tif 000012
【図１２】
0006381349.tif 000013
【図１３】
0006381349.tif 000014